(57)【要約】【課題】ミドルプレート（33）とその上下に配置された圧縮機構部（30a,30b）を有する圧縮機構（30）を備えた回転式圧縮機において、各シリンダ室（C1,C2）での再膨張による高周波脈動を簡単な構成で抑えるようにする。【解決手段】ミドルプレート（33）に、ピストン（40,50）の回転中の所定位置で、駆動軸（23）が挿通する油溜まり空間（60）と各シリンダ室（C1,C2）とに連通可能な油供給路（61）を形成する。【選択図】図３
2018109372.tif 000002
【特許請求の範囲】
【請求項１】
ミドルプレート（33）と該ミドルプレート（33）の上下に配置された２つの圧縮機構部（30a,30b）とを有する圧縮機構（30）を備え、
上記各圧縮機構部（30a,30b）が、シリンダ室（C1,C2）を有するシリンダ（32,34）と、駆動軸（23）の偏心部（25,26）に嵌合し上記シリンダ室（C1,C2）内で偏心回転するピストン（40,50）とを備え、
上記圧縮機構（30）は、該圧縮機構（30）の摺動部に供給された潤滑油をその潤滑後に受け入れる油溜まり空間（60）を有し、
上記油溜まり空間（60）が、上記ミドルプレート（33）に上記駆動軸（23）が挿通するように形成されるとともに該駆動軸（23）よりも大径の貫通孔で構成された軸周り油溜まり空間（60a）を有している回転式圧縮機であって、
上記ミドルプレート（33）に、上記ピストン（40,50）の回転中の所定位置で上記各シリンダ室（C1,C2）と上記油溜まり空間（60）とに連通可能な油供給路（61）が形成されていることを特徴とする回転式圧縮機。
【請求項２】
請求項１において、
上記油供給路（61）は、上記ピストン（40,50）の回転中に、上記油溜まり空間（60）が上記圧縮機構部（30a,30b）のシリンダ室（C1,C2）の一方と連通する間は他方から遮断されるように構成されていることを特徴とする回転式圧縮機。
【請求項３】
請求項２において、
上記圧縮機構（30）は、第１圧縮機構部（30a）と第２圧縮機構部（30b）とからなる２シリンダ型の圧縮機構（30）であり、
上記油溜まり空間（60）は、上記軸周り油溜まり空間（60a）に加えて、上記偏心部（25,26）と上記ミドルプレート（33）との間の軸方向隙間に形成されるピストン部油溜まり空間（60b,60c）を備え、
上記油供給路（61）は、上記駆動軸（23）の軸心と平行な直線に沿って上記ミドルプレート（33）に形成された貫通孔により構成され、かつ、上記ピストン（40,50）の回転中に、一端が上記第１圧縮機構部（30a）に形成されている第１シリンダ室（C1）に連通して他端が上記油溜まり空間（60）に連通する状態と、一端が上記油溜まり空間（60）に連通して他端が上記第２圧縮機構部（30b）に形成されている第２シリンダ室（C2）に連通する状態とに、連通状態が変化するように構成されていることを特徴とする回転式圧縮機。
【請求項４】
請求項３において、
上記第１シリンダ室（C1）内で回転する第１ピストン（40）と上記第２シリンダ室（C2）内で回転する第２ピストン（50）とが１８０°の位相差をつけて配置され、
上記ピストン部油溜まり空間（60b,60c）は、上記偏心部（25,26）のうちで上記第１圧縮機構部（30a）の第１ピストン（40）が嵌合する第１偏心部（25）と上記ミドルプレート（33）との間の軸方向隙間に形成される第１ピストン部油溜まり空間（60b）と、上記偏心部（25,26）のうちで上記第２圧縮機構部（30b）の第２ピストン（50）が嵌合する第２偏心部（26）と上記ミドルプレート（33）との間の軸方向隙間に形成される第２ピストン部油溜まり空間（60c）とを有し、
上記油供給路（61）は、上記ピストン（40,50）の回転中に、一端が上記第１シリンダ室（C1）に連通して他端が上記第２ピストン部油溜まり空間（60c）に連通する状態と、一端が上記第１ピストン部油溜まり空間（60b）に連通して他端が上記第２シリンダ室（C2）に連通する状態とに、連通状態が変化するように構成されていることを特徴とする回転式圧縮機。
【請求項５】
請求項１から４の何れか１つにおいて、
上記油供給路（61）は、上記各圧縮機構部（30a,30b）のシリンダ室（C1,C2）に対し、各圧縮機構部（30a,30b）の動作中の吸入閉じ切り位置から吐出開始位置の間に連通するように構成されていることを特徴とする回転式圧縮機。
【発明の詳細な説明】
【技術分野】
【０００１】
本発明は、ミドルプレートとその上下に配置された２つの圧縮機構部を有する回転式圧縮機に関し、特に、吐出行程の終了時に圧縮機構の吐出ポート内に残留した高圧ガスが次の吸入行程で再膨張することによりシリンダ室で生じる高周波脈動を、シリンダ室に潤滑油を供給することによって抑制する技術に関するものである。
【背景技術】
【０００２】
従来、シリンダと、駆動軸の偏心部に外嵌されシリンダ内に配置されるピストンと、シリンダの軸方向の端部を閉塞する端板とを有し、シリンダ内においてピストンが偏心回転することによって流体が圧縮される回転式圧縮機が知られている。この種の回転式圧縮機には、圧縮機構のシリンダがミドルプレートを挟んで上下に配置された２シリンダ型の圧縮機がある（例えば、特許文献１の図３，特許文献２の図３を参照）。
【０００３】
特許文献１の回転式圧縮機では、２シリンダ型の回転式圧縮機において、駆動軸（2）に形成された給油通路（21）が、ミドルプレート（5）の高圧室（51）から、駆動軸（2）の２つの偏心部（41）にそれぞれ上記高圧室（51）に連通するように形成した断面Ｌ型の切り欠き部（16）と、この切り欠き部（16）に連通するように各ピストン（42）に形成した開放部（給油路）（13）とを介して、各圧縮機構のシリンダ室（34）へ潤滑油を供給するように構成されている。
【０００４】
また、特許文献２には、回転式圧縮機において、ケーシング（1）の底部に溜まった潤滑油を気筒休止中の圧縮室に導入する給油路（20）を設ける構成が開示されている。この特許文献２の回転式圧縮機も、圧縮機構のシリンダ室がミドルプレート（6）を挟んで上下に二段に配置された２シリンダ型の回転式圧縮機である。そして、この回転式圧縮機では、駆動軸（9）の偏心部とピストン（10,11）の摺動面から下側の圧縮機構の圧縮室に潤滑油を供給するように、上記給油路（20）が圧縮機構の下端のシリンダ端板（8）に形成されている。
【先行技術文献】
【特許文献】
【０００５】
【特許文献１】特開平０８−２１９０５１号公報
【特許文献２】実開平０１−１２４０９２号公報
【発明の概要】
【発明が解決しようとする課題】
【０００６】
しかしながら、特許文献１の回転式圧縮機では、駆動軸の２つの偏心部にそれぞれ切り欠きを形成し、さらに２つのピストンのそれぞれに給油路を形成する必要があるため、構成が複雑になってしまう問題があった。
【０００７】
また、特許文献２の構造を採用して上側の圧縮機構にも給油しようとすると、下側の圧縮機構のシリンダ室から上側の圧縮機構のシリンダ室へ給油する通路を設けなければならず、やはり構成が複雑になってしまう。
【０００８】
本発明は、このような問題点に鑑みてなされたものであり、その目的は、ミドルプレートの上下に配置された２つの圧縮機構部を有する回転式圧縮機において、各シリンダ室での再膨張による高周波脈動を簡単な構成で抑えられるようにすることである。
【課題を解決するための手段】
【０００９】
第１の発明は、ミドルプレート（33）と該ミドルプレート（33）の上下に配置された２つの圧縮機構部（30a,30b）とを有する圧縮機構（30）を備え、上記各圧縮機構部（30a,30b）が、シリンダ室（C1,C2）を有するシリンダ（32,34）と、駆動軸（23）の偏心部（25,26）に嵌合し上記シリンダ室（C1,C2）内で偏心回転するピストン（40,50）とを備え、上記圧縮機構（30）が、該圧縮機構（30）の摺動部に供給された潤滑油をその潤滑後に受け入れる油溜まり空間（60）を有し、上記油溜まり空間（60）が、上記ミドルプレート（33）に上記駆動軸（23）が挿通するように形成されるとともに該駆動軸（23）よりも大径の貫通孔で構成された軸周り油溜まり空間（60a）を有している回転式圧縮機を前提としている。
【００１０】
そして、この回転式圧縮機は、上記ミドルプレート（33）に、上記ピストン（40,50）の回転中の所定位置で上記各シリンダ室（C1,C2）と上記油溜まり空間（60）とに連通可能な油供給路（61）が形成されていることを特徴としている。
【００１１】
この第１の発明では、ピストン（40,50）が偏心回転動作をする際に、油溜まり空間（60）とシリンダ室（C1,C2）が油供給路（61）を介して連通すると、油溜まり空間（60）からシリンダ室（C1,C2）へ潤滑油が供給される。
【００１２】
第２の発明は、第１の発明において、上記油供給路（61）が、上記ピストン（40,50）の回転中に、上記油溜まり空間（60）が上記圧縮機構部（30a,30b）のシリンダ室（C1,C2）の一方と連通する間は他方から遮断されるように構成されていることを特徴としている。
【００１３】
この第２の発明では、上下に配置された２つの圧縮機構部（30a,30b）のシリンダ室（C1,C2）へ交互に潤滑油が供給される。
【００１４】
第３の発明は、第２の発明において、上記圧縮機構（30）が、第１圧縮機構部（30a）と第２圧縮機構部（30b）とからなる２シリンダ型の圧縮機構（30）であり、上記油溜まり空間（60）が、上記軸周り油溜まり空間（60a）に加えて、上記偏心部（25,26）と上記ミドルプレート（33）との間の軸方向隙間に形成されるピストン部油溜まり空間（60b,60c）を備え、上記油供給路（61）は、上記駆動軸（23）の軸心と平行な直線に沿って上記ミドルプレート（33）に形成された貫通孔により構成され、かつ、上記ピストン（40,50）の回転中に、一端が上記第１圧縮機構部（30a）に形成されている第１シリンダ室（C1）に連通して他端が上記油溜まり空間（60）に連通する状態と、一端が上記油溜まり空間（60）に連通して他端が上記第２圧縮機構部（30b）に形成されている第２シリンダ室（C2）に連通する状態とに、連通状態が変化するように構成されていることを特徴としている。
【００１５】
第４の発明は、第３の発明において、上記第１シリンダ室（C1）内で回転する第１ピストン（40）と上記第２シリンダ室（C2）内で回転する第２ピストン（50）とが１８０°の位相差をつけて配置され、上記ピストン部油溜まり空間（60b,60c）が、上記偏心部（25,26）のうちで上記第１圧縮機構部（30a）の第１ピストン（40）が嵌合する第１偏心部（25）と上記ミドルプレート（33）との間の軸方向隙間に形成される第１ピストン部油溜まり空間（60b）と、上記偏心部（25,26）のうちで上記第２圧縮機構部（30b）の第２ピストン（50）が嵌合する第２偏心部（26）と上記ミドルプレート（33）との間の軸方向隙間に形成される第２ピストン部油溜まり空間（60c）とを有し、上記油供給路（61）が、上記ピストン（40,50）の回転中に、一端が上記第１シリンダ室（C1）に連通して他端が上記第２ピストン部油溜まり空間（60c）に連通する状態と、一端が上記第１ピストン部油溜まり空間（60b）に連通して他端が上記第２シリンダ室（C2）に連通する状態とに、連通状態が変化するように構成されていることを特徴としている。
【００１６】
この第３，第４の発明では、上下に配置された２つの圧縮機構部（30a,30b）において、ピストン（40,50）が偏心回転動作をする際に、油溜まり空間（60）から、貫通孔で形成された油供給路（61）を通って、シリンダ室（C1,C2）へ交互に潤滑油が供給される。
【００１７】
第５の発明は、第１から第４の発明の何れか１つにおいて、上記油供給路（61）が、上記各圧縮機構部（30a,30b）のシリンダ室（C1,C2）に対し、各圧縮機構部（30a,30b）の動作中の吸入閉じ切り位置から吐出開始位置の間に連通するように構成されていることを特徴としている。
【００１８】
この第５の発明では、シリンダ室（C1,C2）が吸入閉じ切り位置から吐出開始位置の間の吐出圧力よりも低い圧力になっているときに、油溜まり空間（60）から油供給路（61）を介してシリンダ室（C1,C2）へ潤滑油が供給される。
【発明の効果】
【００１９】
本発明によれば、ミドルプレート（33）に、上記駆動軸（23）が挿通するように該駆動軸（23）よりも大径の油溜まり空間（60）と、上下に配置された２つの圧縮機構部（30a,30b）の各シリンダ室（C1,C2）と該油溜まり空間（60）とに連通する油供給路（61）とを形成したことによって、ピストン（40,50）が偏心回転動作をする際に上記油溜まり空間（60）と上記シリンダ室（C1,C2）とが上記油供給路（61）を介して連通すると、上記油溜まり空間（60）から上記シリンダ室（C1,C2）へ潤滑油が供給される。したがって、上記シリンダ室（C1,C2）で吸入行程が開始されるときの高周波脈動を潤滑油によって軽減することができ、しかも構成が複雑になるのも抑制できる。
【００２０】
また、本発明によれば、上記油溜まり空間（60）から上記シリンダ室（C1,C2）へ潤滑油を直接供給することにより、上記油溜まり空間（60）からの排油量を確保できるので、駆動軸（23）の偏心部（25,26）とピストン（40,50）の摺動面に熱がこもって焼き付くのを抑制できる。つまり、この摺動面の潤滑油は、油膜の形成と軸受の冷却をその機能とするものであり、本発明によれば、その機能が損なわれるのを抑制できる。
【００２１】
この効果について説明する。一般に、上記油溜まり部（60）の潤滑油は、上記摺動部の熱を放出するために、ＣＲ隙間（ピストン（40,50）の端面と、ミドルプレート（33），フロントヘッド（31）及びリアヘッド（35）の端面との隙間）を通って圧縮室（C1,C2）へ流れていく。そして、ＣＲ隙間が小さいと、上記摺動部からの熱の除去効果が小さくなり、摺動部に熱が溜まって駆動軸（23）の偏心部（25,26）とピストン（40,50）とが焼き付く原因になる。また、逆にＣＲ隙間を広げすぎると、ブレード（41,51）の上下の隙間を介して冷媒がシリンダ室（C1,C2）の高圧室（C12,C22）から低圧室（C11,C21）へ漏れやすくなり、性能が低下してしまう。これに対して、本発明によればＣＲ隙間を広げすぎることなく圧縮室（C1,C2）への給油量を増やせるので、高低圧漏れによる性能低下を抑制でき、しかも脈動低減の効果も得ることができる。
【００２２】
また、例えば特開２０１１−０２１５９８号公報や特開２０１４−０５５５３４号公報には、圧縮機構の動作中における吐出行程の途中から次の吸入行程の開始までの間に吐出ポートに潤滑油を導入し、吸入行程が開始されると潤滑油がシリンダ室へ流入するようにして脈動を抑える技術が開示されている。この技術では、シリンダ室への給油量が多いほど脈動低減効果が大きくなり、圧縮室への給油量が少ないと、脈動が減衰せずに脈動に起因する騒音が大きくなる。
【００２３】
一方、上記従来の技術では、圧縮室への給油量が多くなりすぎると、圧縮終了過程で圧縮室にある油が圧縮機構から吐出されることで、吐出弁が閉じ遅れて性能が低下する。そのため、特開２０１１−０２１５９８号公報や特開２０１４−０５５５３４号公報の技術では、運転条件が変わっても圧縮室への給油量を一定にする必要があった。しかしながら、弁の閉じ遅れを起こさない給油量で上記各公報の技術を実用化しようとすると、脈動音が大きな高差圧条件では脈動の減衰効果が十分ではなくなる問題があった。
【００２４】
これに対して、本発明によれば、圧力条件によって（つまり差圧が変化すると）、給油量が変わるので、脈動音が大きな高差圧条件で給油量を増加させ、脈動音が小さい低差圧条件では給油量を減らすことが可能になる。したがって、本発明によれば、脈動の低減効果と、吐出弁が閉じ遅れることによる性能低下を抑制する効果を両立させることが可能になる。
【００２５】
上記第２の発明によれば、上下に配置された２つの圧縮機構部（30a,30b）のシリンダ室（C1,C2）へ潤滑油を交互に効率よく供給できる。
【００２６】
上記第３，第４の発明によれば、２シリンダ型の圧縮機構（30）において、上記油供給路（61）を、上記駆動軸（23）の軸心と平行な直線に沿ってミドルプレート（33）に形成された貫通孔により構成したことにより、簡単な構成で、上下に隣り合うシリンダ室（C1,C2）へ潤滑油を交互に効率よく供給できる。
【００２７】
つまり、本発明では、１本の貫通孔により構成された油供給路（61）が二つのシリンダ室（C1,C2）への給油路として機能するため、加工が簡単であり、生産性の向上効果やコストアップの抑制効果を図ることができる。
【００２８】
上記第５の発明によれば、シリンダ室（C1,C2）が吸入閉じ切り位置から吐出開始位置の間の吐出圧力よりも低い圧力になっているときに、油溜まり空間（60）から油供給路（61）を介してシリンダ室（C1,C2）へ潤滑油を確実に供給できる。
【図面の簡単な説明】
【００２９】
【図１】図１は、本発明の実施形態に係る回転式圧縮機の縦断面図である。
【図２】図２は、圧縮機構の横断面図である。
【図３】図３は、圧縮機構の縦断面の要部拡大図である。
【図４】図４は、圧縮機構の第１の動作状態図である。
【図５】図５は、圧縮機構の第２の動作状態図である。
【図６】図６は、圧縮機構の第３の動作状態図である。
【図７】図７は、圧縮機構の第４の動作状態図である。
【図８】図８は、圧縮機構の第５の動作状態図である。
【図９】図９は、圧縮機構の第６の動作状態図である。
【図１０】図１０は、圧縮機構の第７の動作状態図である。
【図１１】図１１は、圧縮機構の第８の動作状態図である。
【図１２】図１２は、圧縮機構の変形例を示す要部拡大図である。
【図１３】図１３は、他の変形例に係る圧縮機構の縦断面の要部拡大図である。
【発明を実施するための形態】
【００３０】
以下、本発明の実施形態を図面に基づいて詳細に説明する。
【００３１】
本発明の実施形態に係る回転式圧縮機（10）は、例えば空気調和装置の冷媒回路に設けられ、蒸発器から吸入した冷媒を圧縮して放熱器へ吐出する。図１に示すように、回転式圧縮機（10）は、ケーシング（11）と電動機（20）と圧縮機構（30）とを備えている。この圧縮機構（30）は、第１圧縮機構部（30a）と第２圧縮機構部（30b）とを備えた２シリンダ型の圧縮機構である。
【００３２】
上記ケーシング（11）は、円筒状の胴部（12）と、該胴部（12）の上端側を閉塞する上部鏡板（13）と、該胴部（12）の下端側を閉塞する下部鏡板（14）とを備えている。上記胴部（12）には、該胴部（12）の下側部分を貫通して第１吸入管（15a）及び第２吸入管（15b）が取り付けられている。また、上部鏡板（13）の上側部分には、該上部鏡板（13）を貫通するように吐出管（16）が取り付けられている。ケーシング（11）には、上記電動機（20）及び圧縮機構（30）が収容されている。また、下部鏡板（14）の底部には、上記圧縮機構（30）の摺動部を潤滑する潤滑油が貯留される油溜まり（17）が形成されている。
【００３３】
上記電動機（20）は、円筒状のステータ（21）と円筒状のロータ（22）と駆動軸（23）とを備えている。ステータ（21）は上記ケーシング（11）の胴部（12）に固定されている。一方、ロータ（22）は、ステータ（21）の中空部に配置されている。ロータ（22）の中空部には、該ロータ（22）を貫通するように駆動軸（23）が固定されている。
【００３４】
上記駆動軸（23）は、上下に延びる主軸部（24）と、該主軸部（24）の下端寄りに該主軸部（24）と一体に形成された２つの偏心部（25,26）とを有している。この２つの偏心部（25,26）は、上方の第１偏心部（25）と該第１偏心部（25）の下方に設けられた第２偏心部（26）とによって構成され、いずれも主軸部（24）よりも大径に形成されている。第１偏心部（25）及び第２偏心部（26）は、それぞれの軸心が主軸部（24）の軸心に対して所定距離だけ偏心している。なお、本実施形態では、第１偏心部（25）と第２偏心部（26）の主軸部（24）に対する偏心方向は１８０度ずれている（位相差が１８０°）。
【００３５】
上記圧縮機構（30）は、環状に形成されたフロントヘッド（31）、第１シリンダ（32）、ミドルプレート（33）、第２シリンダ（34）及びリアヘッド（下端板）（35）を有している。これらの環状の部材（31〜35）は、上側から下側に向かって順に積層され、軸方向に延びる複数のボルトによって締結されている。上記駆動軸（23）は、上記環状の部材（31〜35）を上下に貫通している。
【００３６】
ミドルプレート（33）には、中心部に駆動軸（23）の第１偏心部（25）と第２偏心部（26）の間の部分よりも直径が大きな開口（軸周り油溜まり空間（60a））が形成されており、図３に示すように、この軸周り油溜まり空間（60a）と後述の第１ピストン部油溜まり空間（60b）及び第２ピストン部油溜まり空間（60b）により油溜まり空間（60）が構成されている。上記圧縮機構（30）は、ミドルプレート（33）を挟んで上側に配置された上記第１圧縮機構部（30a）と、下側に配置された上記第２圧縮機構部（30b）とから構成されている。そして、第１圧縮機構部（30a）が有する第１シリンダ室（C1）と第２圧縮機構部（30b）が有する第２シリンダ室（C2）が、ミドルプレート（33）を挟んで上下に配置されている。
【００３７】
上記第１シリンダ（32）及び第２シリンダ（34）は、それぞれ肉厚の円筒部材によって構成されている。一方、フロントヘッド（31）、ミドルプレート（33）及びリアヘッド（35）は、肉厚の円板部材によって構成され、それぞれ中心部に上述した駆動軸（23）が挿通される孔部が形成されている。上記フロントヘッド（31）及びリアヘッド（35）における孔部を形成する内周縁部は、それぞれ上記駆動軸（23）の主軸部（24）を回転自在に支持する滑り軸受部（31a,35a）を構成している。なお、この実施形態では、フロントヘッド（31）が主軸受を構成し、リアヘッド（35）が副軸受を構成している。
【００３８】
第１シリンダ（32）は、上端がフロントヘッド（31）によって閉塞される一方、下端がミドルプレート（33）によって閉塞され、内部の閉空間が第１シリンダ室（C1）を構成している。該第１シリンダ室（C1）内には、上記駆動軸（23）の第１偏心部（25）に摺動自在に嵌合した第１ピストン（40）が第１シリンダ室（C1）内で偏心回転するように収容されている。図２に示すように、第１ピストン（40）の外周面には、該外周面から径方向外側へ延びる第１ブレード（41）が一体に形成されている。第１シリンダ室（C1）は、第１ブレード（41）によって第１吸入管（15a）に連通する低圧室（C11）と後述する第１吐出ポート（46）が開口する高圧室（C12）とに仕切られている。上記駆動軸（23）の第１偏心部（25）とミドルプレート（33）との間には少量の潤滑油が溜まるようにわずかな軸方向隙間（後述の第１ピストン部油溜まり空間（60b））が形成されている。
【００３９】
なお、図２は、第１圧縮機構部（30a）の第１シリンダ室（C1）付近の横断面図であるが、第２シリンダ室（C2）付近の横断面の構成も第１シリンダ室（C1）付近の横断面の構成とほぼ同様である。そこで、図２では、第２圧縮機構部（30b）の第２シリンダ室（C2）における各構成部材の符号を括弧内に記載している。
【００４０】
一方、第２シリンダ（34）は、図１に示すように、上端がミドルプレート（33）によって閉塞される一方、下端がリアヘッド（35）によって閉塞され、内部の閉空間が第２シリンダ室（C2）を構成している。該第２シリンダ室（C2）内には、上記駆動軸（23）の第２偏心部（26）に摺動自在に嵌合した第２ピストン（50）が第２シリンダ室（C2）内で偏心回に収容されている。図２に示すように、第２ピストン（50）の外周面には、該外周面から径方向外側へ延びる第２ブレード（51）が一体に形成されている。第２シリンダ室（C2）は、第２ブレード（51）によって第２吸入管（15b）に連通する低圧室（C21）と後述する第２吐出ポート（56）が開口する高圧室（C22）とに仕切られている。上記駆動軸（23）の第２偏心部（26）とミドルプレート（33）との間には少量の潤滑油が溜まるようにわずかな軸方向隙間（後述の第２ピストン部油溜まり空間（60b））が形成されている。
【００４１】
上記第１圧縮機構部（30a）に形成されている第１シリンダ室（C1）内で回転する第１ピストン（40）と第２圧縮機構部（30b）に形成されている第２シリンダ室（C2）内で回転する第２ピストン（50）とは、１８０°の位相差をつけて配置されている。
【００４２】
図２に示すように、第１シリンダ（32）には、平面視で円形の溝が形成されている。該円形溝は、一対のブッシュ（43,43）を収容するブッシュ溝（42）に構成されている。該ブッシュ溝（42）には、平面視で半月状に形成された一対のブッシュ（43,43）が第１ブレード（41）を挟むような状態で内嵌されている。一方、第２シリンダ（34）にも、第１シリンダ（32）と同様に、平面視で円形の溝が形成されている。該円形溝は、一対のブッシュ（53,53）を収容するブッシュ溝（52）に構成されている。該ブッシュ溝（52）には、平面視で半月状に形成された一対のブッシュ（53,53）が第２ブレード（51）を挟むような状態で内嵌されている。
【００４３】
また、第１シリンダ（32）には、内周面と外周面との間を径方向へ貫通する吸入貫通路（44）が形成されている。該吸入貫通路（44）に、第１吸入管（15a）の端部が挿入されている（図１参照）。一方、第２シリンダ（34）には、内周面と外周面との間を径方向へ貫通する吸入貫通路（54）が形成されている。該吸入貫通路（54）には、第２吸入管（15b）の端部が挿入されている。
【００４４】
図１に示すように、上記フロントヘッド（31）の上面には、上方に向かって開口する凹部が形成され、該凹部は内側カバー（36）によって覆われている。また、該内側カバー（36）の上面は、外側カバー（37）によって覆われている。上記凹部が形成されたフロントヘッド（31）の上面と内側カバー（36）との間には内側吐出空間（81）が形成される一方、内側カバー（36）と外側カバー（37）との間には外側吐出空間（82）が形成されている。
【００４５】
上記フロントヘッド（31）には、上下方向に貫通して内側吐出空間（81）と第１シリンダ室（C1）の高圧室（C12）とを連通する第１吐出ポート（46）が形成されている。また、フロントヘッド（31）には、第１吐出ポート（46）を開閉するための吐出弁（47）が取り付けられている。該吐出弁（47）が開閉することによって、第１吐出ポート（46）は、第１シリンダ（32）の内部に形成される高圧室（C12）に間欠的に連通する。さらに、内側カバー（36）には、内側吐出空間（81）と外側吐出空間（82）とを連通する貫通孔（図示省略）が形成され、外側カバー（37）には、外側吐出空間（82）とケーシング（11）の内部空間とを連通する貫通孔（図示省略）が形成されている。
【００４６】
上記リアヘッド（35）の下面には、周方向に延びて下方に向かって開口する凹部が形成され、該凹部は閉塞板（38）によって覆われ、内部に閉空間が形成されている。該閉空間は、下側吐出空間（83）を構成している。該下側吐出空間（83）は、リアヘッド（35）、第２シリンダ（34）、ミドルプレート（33）、第１シリンダ（32）及びフロントヘッド（31）を貫通する冷媒貫通孔（84）を介してフロントヘッド（31）と内側カバー（36）との間に形成された内側吐出空間（81）と連通している。
【００４７】
上記リアヘッド（35）には、上下方向に貫通して下側吐出空間（83）と第２シリンダ室（C2）における高圧室（C22）とを連通する第２吐出ポート（56）が形成されている。また、リアヘッド（35）には、第２吐出ポート（56）を開閉するための吐出弁（57）が取り付けられている。該吐出弁（57）が開閉することによって、第２吐出ポート（56）は、第２シリンダ（34）の内部に形成される高圧室（C22）に間欠的に連通する。
【００４８】
図１に示すように、駆動軸（23）の下端には、油溜まり（17）に浸漬する遠心ポンプ（27）が設けられている。駆動軸（23）の内部には、遠心ポンプ（27）が汲み上げた潤滑油が流通する給油通路（油通路）（70）が軸方向に形成されている。給油通路（70）には、第１〜第５通路（70a〜70e）が接続されている。第１〜第５通路（70a〜70e）は、それぞれ駆動軸（23）の径方向に延び、それぞれの流出端が駆動軸（23）の外周面において開口している。第１通路（70a）は、給油通路（70）の内部で発泡した冷媒ガスを排出するための排ガス通路であり、第２〜第５通路（70b〜70e）は、給油通路（70）に汲み上げられた潤滑油を流出させるための油流出通路である。
【００４９】
具体的には、第１通路（70a）は、駆動軸（23）における圧縮機構（30）の上端の上側近傍に形成されている。第２通路（70b）は、駆動軸（23）の第１偏心部（25）の上側近傍に形成され、第３通路（70c）は、第１偏心部（25）の内部に形成されている。第４通路（70d）は、第２偏心部（26）の内部に形成され、第５通路（70e）は、駆動軸（23）の第２偏心部（26）の下側近傍に形成されている。第１偏心部（25）に形成された第３通路（70c）と第２偏心部（26）に形成された第４通路（70d）とは、各偏心部（25,26）の偏心方向に対して１２０°位相がずれ、且つ互いに１８０°位相がずれる方向に延びている。
【００５０】
駆動軸（23）の外周面には、第１及び第２縦溝（71,72）が形成されている。第１縦溝（71）は、駆動軸（23）の第１偏心部（25）の外周面において軸方向に延び、上記第３通路（70c）の流出端が開口している。第２縦溝（72）は、駆動軸（23）の第２偏心部（26）の外周面において軸方向に延び、上記第４通路（70d）の流出端が開口している。
【００５１】
また、駆動軸（23）の外周面には、第１及び第２環状溝（73,74）が形成されている。第１環状溝（73）は、駆動軸（23）の第１偏心部（25）の上側近傍の外周面において周方向に延び、上記第２通路（70b）の流出端が開口している。第２環状溝（74）は、本発明に係る油溝を構成し、駆動軸（23）の第２偏心部（26）の下側近傍の外周面において周方向に延び、上記第５通路（70e）の流出端が開口している。
【００５２】
以上のような構成により、上記駆動軸（23）の回転に伴って上記遠心ポンプ（27）によって上記油溜まり（17）の潤滑油が給油通路（70）へ汲み上げられる。給油通路（70）に汲み上げられた潤滑油は、第２〜第５通路（70b〜70e）のそれぞれから流出し、第１及び第２縦溝（71,72）や第１及び第２環状溝（73,74）を介して圧縮機構（30）の摺動部に流れて該摺動部を潤滑及び冷却する。
【００５３】
本実施形態では、図３に示すように、上記駆動軸（23）と上記ミドルプレート（33）及び上記偏心部（25,26）との間に上記油溜まり空間（60）が形成されており、各摺動部に供給された潤滑油は、その潤滑後にこの油溜まり空間（60）に溜まる。また、上記ミドルプレート（33）には、上記油溜まり空間（60）と、上記第１圧縮機構部（30a）のシリンダ室（C1）及び第２圧縮機構部（30b）のシリンダ室（C2）とに連通する油供給路（61）が形成されている。この油供給路（61）は、図４，図８に示すように、第１ピストン（40）または第２ピストン（50）が上死点にあるときに、上死点を０°として時計回り方向に約２７０°の位置で、第１ピストン（40）または第２ピストン（50）の外周面にほぼ接する位置に形成されている。この油供給路（61）を形成したことにより、上記ピストン（40,50）の回転中の所定位置で上記油供給路（61）が上記各シリンダ室（C1,C2）と油溜まり空間（60）とに連通し、そのときに油溜まり空間（60）の潤滑油が各シリンダ室（C1,C2）に供給されるようになっている。
【００５４】
上記油溜まり空間（60）は、具体的には、上記軸周り油溜まり空間（60a）に加えて、上記偏心部（25,26）のうちで上記第１圧縮機構部（30a）の第１ピストン（40）が嵌合する第１偏心部（25）と上記ミドルプレート（33）との間の軸方向隙間に形成される第１ピストン部油溜まり空間（60b）と、上記偏心部（25,26）のうちで上記第２圧縮機構部（30b）の第２ピストン（50）が嵌合する第２偏心部（26）と上記ミドルプレート（33）との間の軸方向隙間に形成される第２ピストン部油溜まり空間（60c）とを有している。
【００５５】
そして、上記油供給路（61）は、上記駆動軸（23）の軸心と平行な直線に沿って上記ミドルプレート（33）に形成された貫通孔により構成されている。また、上記油供給路（61）は、上記ピストン（40,50）の回転中に、一端が上記第１シリンダ室（C1）に連通して他端が上記第２ピストン部油溜まり空間（60c）に連通する状態と、一端が上記第１ピストン部油溜まり空間（60b）に連通して他端が上記第２シリンダ室（C2）に連通する状態とに、連通状態が変化するように構成されている。
【００５６】
上述したように、上記第１圧縮機構部（30a）の第１ピストン（40）と第２圧縮機構部（30b）の第２ピストン（50）の間には、１８０°の位相差が付けられている。そして、上記油供給路（61）は、上記駆動軸（23）の軸心と平行な直線に沿ってミドルプレート（33）に形成されたまっすぐな貫通孔により構成されている。このことにより、上記油供給路（61）は、上記油溜まり空間（60）が上記第１圧縮機構部（30a）のシリンダ室（C1）及び第２圧縮機構部（30b）のシリンダ室（C2）の一方と連通する間は、他方から遮断されるようになっている。
【００５７】
また、上記油供給路（61）は、上記第１圧縮機構部（30a）及び第２圧縮機構部（30b）のシリンダ室（C1,C2）に対し、各圧縮機構部（30a,30b）の動作中の吸入閉じ切り位置から吐出開始位置の間に連通するように構成されている。逆に言うと、上記油供給路（61）は、各圧縮機構部（30a,30b）の動作中の吸入閉じ切り位置から吐出開始位置の間を除いては、上記第１圧縮機構部（30a）及び第２圧縮機構部（30b）のシリンダ室（C1,C2）に対して連通しないようになっている。
【００５８】
−運転動作−
上記回転式圧縮機（10）では、上記電動機（20）が起動されて駆動軸（23）が回転するのに伴って、各偏心部（25,26）に外嵌された各ピストン（40,50）が各シリンダ室（C1,C2）内において偏心回転する。これにより、各ピストン（40,50）と各シリンダ室（C1,C2）の低圧室（C11,C21）と高圧室（C12,C22）との容積が周期的に変動し、冷媒の吸入動作、圧縮動作及び吐出動作が連続的に行われる。
【００５９】
上記各吸入管（15a,15b）から上記各シリンダ室（C1,C2）の低圧室（C11,C21）へ吸入された冷媒は、各ピストン（40,50）の回転により低圧室（C11,C21）が高圧室（C12,C22）になると、各シリンダ室（C1,C2）の高圧室（C12,C22）で圧縮された後、各吐出ポート（46,56）から吐出される。第１吐出ポート（46）から吐出された冷媒は、上記内側吐出空間（81）へ流入する。一方、上記第２吐出ポート（56）から下側吐出空間（83）に吐出された冷媒は、冷媒貫通孔（84）を介して内側吐出空間（81）に流入し、該内側吐出空間（81）において第１シリンダ室（C1）から吐出された冷媒と合流する。内側吐出空間（81）において合流した第１シリンダ室（C1）と第２シリンダ室（C2）の吐出冷媒は、内側カバー（36）に形成された貫通孔を介して外側吐出空間（82）へ流入した後、外側カバー（37）に形成された貫通孔を介してケーシング（11）の内部空間に流入し、やがて吐出管（16）からケーシング（11）の外部へ流出する。
【００６０】
−潤滑油の流れ−
上記駆動軸（23）が回転すると、遠心ポンプ（27）によって油溜まり（17）の潤滑油が駆動軸（23）の内部の給油通路（70）に汲み上げられる。給油通路（70）に汲み上げられた潤滑油は、下方から上方に向かって流れた後、遠心力を受けて第２〜第５通路（70b〜70e）から駆動軸（23）の外周面に流出する。
【００６１】
第２通路（70b）から流出した潤滑油は、第１環状溝（73）から、フロントヘッド（31）の滑り軸受部（31a）の内周面に形成された図示しない螺旋溝を伝ってフロントヘッド（31）の上端まで導かれ、その際に、フロントヘッド（31）の滑り軸受部（31a）と駆動軸（23）の主軸部（24）との間の摺動面を潤滑すると共に冷却する。また、第１環状溝（73）に溜まった潤滑油は、第１ピストン（40）の上端面とフロントヘッド（31）の下端面との間の摺動面間に流入し、該摺動面を潤滑すると共に冷却する。
【００６２】
第３通路（70c）から流出した潤滑油は、第１縦溝（71）から、駆動軸（23）の第１偏心部（25）と第１ピストン（40）の滑り軸受部との間の摺動面に流入し、該摺動面間を潤滑すると共に冷却する。また、第１縦溝（71）の潤滑油は、第１ピストン（40）の上端面とフロントヘッド（31）の下端面との間の摺動面、及び第１ピストン（40）の下端面とミドルプレート（33）の上端面との間の摺動面間に流入し、該摺動面を潤滑すると共に冷却する。
【００６３】
第４通路（70d）から流出した潤滑油は、第２縦溝（72）から、駆動軸（23）の第２偏心部（26）と第２ピストン（50）の滑り軸受部との間の摺動面に流入し、該摺動面間を潤滑すると共に冷却する。また、第２縦溝（72）の潤滑油は、第２ピストン（50）の上端面とミドルプレート（33）の下端面との間の摺動面、第２ピストン（50）の下端面とリアヘッド（35）の上端面との間の摺動面及び駆動軸（23）の第２偏心部（26）の下端面のスラスト軸受面（26a）とリアヘッド（35）の上端面（35b）との間の摺動面間に流入し、各摺動面間を潤滑すると共に冷却する。
【００６４】
第５通路（70e）から流出した潤滑油は、第２環状溝（74）から、リアヘッド（35）の滑り軸受部（35a）と駆動軸（23）の主軸部（24）との間の摺動面、第２ピストン（50）の下端面とリアヘッド（35）の上端面との間の摺動面、及び駆動軸（23）の第２偏心部（26）の下端面のスラスト軸受面（26a）とリアヘッド（35）の上端面（35b）との間の摺動面、即ち、スラスト軸受の摺動面間に流入し、各摺動面間を潤滑すると共に冷却する。
【００６５】
各部を潤滑した潤滑油は、油溜まり空間（60）に溜まる。
【００６６】
−油溜まり空間からシリンダ室への潤滑油の供給−
図４に示すように、第１ピストン（40）が上死点にあり、第２ピストン（50）が下死点にある状態を０°とする。そして、０°の第１の動作状態から時計回り方向に４５°間隔で回転した第２〜第８の動作状態を図５〜図１１に示している。
【００６７】
図４の０°の状態（第１の動作状態）では、油供給路（61）の一端は、第１ピストン（40）の径方向外側で第１シリンダ室（C1）に開放されているので、油溜まり空間（60）と第１シリンダ室（C1）とが連通する。一方、油供給路（61）の他端は、第２ピストン（50）の端面で塞がれているため、油溜まり空間（60）と第２シリンダ室（C2）とは連通しない。したがって、油溜まり空間（60）から第１シリンダ室（C1）に給油され、第２シリンダ室（C2）へは給油されない。
【００６８】
図５の４５°の状態（第２の動作状態）では、０°の状態と同様に、油供給路（61）の一端は、第１ピストン（40）の径方向外側で第１シリンダ室（C1）に開放されているので、油溜まり空間（60）と第１シリンダ室（C1）とが連通する。一方、油供給路（61）の他端は、第２ピストン（50）の端面の径方向内側に位置しているので油溜まり空間（60）と第２シリンダ室（C2）とは連通しない。したがって、この状態でも、油溜まり空間（60）から第１シリンダ室（C1）に給油され、第２シリンダ室（C2）へは給油されない。
【００６９】
図６の９０°の状態（第３の動作状態）も４５°の状態と同様であり、油溜まり空間（60）から第１シリンダ室（C1）に給油され、第２シリンダ室（C2）へは給油されない。
【００７０】
図７の１３５°の状態（第４の動作状態）では、第１シリンダ室（C1）で油供給路（61）の一端が第１ピストン（40）の端面によって閉じ始める。この点を除いては４５°や９０°の状態と同じである。
【００７１】
図８の１８０°の状態（第５の動作状態）になると、第１ピストン（40）が下死点、第２ピストン（50）が上死点になる。この状態では、油供給路（61）の一端は、第１ピストン（40）の端面で塞がれているため、油溜まり空間（60）と第１シリンダ室（C1）とは連通しない。一方、油供給路（61）の他端は、第２ピストン（50）の径方向外側で第２シリンダ室（C2）に開放されているので、油溜まり空間（60）と第２シリンダ室（C2）とが連通する。したがって、油溜まり空間（60）から第２シリンダ室（C2）に給油され、第１シリンダ室（C1）へは給油されない。
【００７２】
図９の２２５°の状態（第６の動作状態）では、１８０°の状態と同様に、油供給路（61）の一端は、第１ピストン（40）の端面の径方向内側に位置しているので油溜まり空間（60）と第１シリンダ室（C1）とは連通しない。一方、油供給路（61）の他端は、第２ピストン（50）の径方向外側で第２シリンダ室（C2）に開放されているので、油溜まり空間（60）と第２シリンダ室（C2）とが連通する。したがって、この状態でも、油溜まり空間（60）から第２シリンダ室（C2）に給油され、第１シリンダ室（C1）へは給油されない。
【００７３】
図１０の２７０°の状態（第７の動作状態）も２２５°の状態と同様であり、油溜まり空間（60）から第２シリンダ室（C2）に給油され、第１シリンダ室（C1）へは給油されない。
【００７４】
図１１の３１５°の状態（第８の動作状態）では、第２シリンダ室（C2）で油供給路（61）の他端が第２ピストン（50）の端面によって閉じ始める。この点を除いては４５°や９０°の状態と同じである。
【００７５】
以上のように、上記油供給路（61）は、上記油溜まり空間（60）が上記第１圧縮機構部（30a）のシリンダ室（C1）及び第２圧縮機構部（30b）のシリンダ室（C2）の一方と連通する間は、他方から遮断されるので、油溜まり空間（60）の潤滑油は、各シリンダ室（C1,C2）に交互に供給される。
【００７６】
また、上記油供給路（61）は、上記第１圧縮機構部（30a）及び第２圧縮機構部（30b）のシリンダ室（C1,C2）に対し、各圧縮機構部（30a,30b）の動作中の吸入閉じ切り位置から吐出開始位置の間に連通し、各圧縮機構部（30a,30b）の動作中の吸入閉じ切り位置から吐出開始位置の間を除いては、上記第１圧縮機構部（30a）及び第２圧縮機構部（30b）のシリンダ室（C1,C2）に連通しないので、連通するのは各シリンダ室（C1,C2）が低圧の間だけであり、潤滑油が差圧によって各シリンダ室（C1,C2）へ供給される。
【００７７】
−実施形態の効果−
本実施形態によれば、ミドルプレート（33）に、上記駆動軸（23）が挿通するように該駆動軸（23）よりも大径の油溜まり空間（60）と、上下に隣り合う各シリンダ室（C1,C2）と該油溜まり空間（60）とに連通する油供給路（61）とを形成したことにより、ピストン（40,50）が偏心回転動作をする際に油溜まり空間（60）とシリンダ室（C1,C2）が油供給路（61）を介して連通すると、油溜まり空間（60）からシリンダ室（C1,C2）へ潤滑油が供給される。したがって、上下に隣り合うシリンダ室（C1,C2）へ潤滑油を交互に効率よく確実に供給し、シリンダ室（C1,C2）が吸入行程を開始するときの高周波脈動を潤滑油で軽減することができ、しかも、油供給路（61）を駆動軸（23）の軸心と平行な直線に沿ってミドルプレート（33）と平行な貫通孔により構成したことにより、構成が複雑になるのも抑制できる。
【００７８】
また、本実施形態によれば、油溜まり空間（60）からシリンダ室（C1,C2）へ潤滑油を直接供給することにより、油溜まり空間（60）からの排油量を確保できるので、駆動軸（23）の偏心部（25,26）とピストン（40,50）の摺動面に熱がこもって焼き付くのを抑制できる。つまり、この摺動面の潤滑油は、油膜の形成と軸受の冷却をその機能とするものであり、本実施形態によれば、その機能が損なわれるのを抑制できる。
【００７９】
上記の効果について説明する。一般に、上記油溜まり部（60）の潤滑油は、上記摺動部の熱を放出するために、ＣＲ隙間（ピストン（40,50）の端面とミドルプレート（33），フロントヘッド（31）及びリアヘッド（35）との隙間）を通って圧縮室（C1,C2）へ流れていく。そして、ＣＲ隙間が小さいと、上記摺動部からの熱の除去効果が小さくなり、摺動部に熱が溜まって駆動軸（23）の偏心部（25,26）とピストン（40,50）とが焼き付く原因になる。また、ＣＲ隙間を広げすぎると、ブレード（41,51）の上下の隙間を介して冷媒がシリンダ室（C1,C2）の高圧室（C12,C22）から低圧室（C11,C21）へ漏れやすくなり、性能が低下してしまう。これに対して、本実施形態によればＣＲ隙間を広げすぎることなく圧縮室（C1,C2）への給油量を増やせるので、高低圧漏れによる性能低下を抑制でき、しかも脈動低減の効果も得ることができる。
【００８０】
また、例えば特開２０１１−０２１５９８号公報や特開２０１４−０５５５３４号公報には、圧縮機構の動作中の吐出行程から次の吸入行程が始まるまでの間に吐出ポートに潤滑油を導入し、吸入行程が開始すると潤滑油がシリンダ室へ流入するようにして脈動を抑える技術が開示されている。この技術では、シリンダ室への給油量が多いほど脈動低減効果は大きくなり、圧縮室への油が少ないと、脈動が減衰せずに脈動に起因する騒音が大きくなる。
【００８１】
一方、上記従来の技術では、圧縮室への給油量が多くなりすぎると、圧縮終了過程で圧縮室にある油が圧縮機構から吐出されることで、吐出弁が閉じ遅れて性能が低下する。そのため、特開２０１１−０２１５９８号公報や特開２０１４−０５５５３４号公報の技術では、運転条件が変わっても圧縮室への給油量を一定にする必要があった。しかしながら、弁の閉じ遅れを起こさない給油量で上記各公報の技術を実用化しようとすると、脈動音が大きな高差圧条件では脈動の減衰効果が十分ではなくなる問題があった。
【００８２】
これに対して、本実施形態によれば、圧力条件によって（つまり差圧が変化すると）、給油量が変わるので、脈動音が大きな高差圧条件で給油量を増加させ、脈動音が小さい低差圧条件では給油量を減らすことが可能になる。したがって、本実施形態によれば、脈動の低減効果と、吐出弁が閉じ遅れることによる性能低下を抑制する効果を両立させることが可能になる。
【００８３】
さらに、本実施形態では、１本の貫通孔により構成された油供給路（61）が二つのシリンダ室（C1,C2）への給油路として機能するため、加工が簡単であり、生産性の向上やコストアップの抑制効果を図ることができる効果もある。
【００８４】
《その他の実施形態》
上記実施形態については、以下のような構成としてもよい。
【００８５】
例えば、上記実施形態では、２シリンダの型の圧縮機に本発明を適用した例を説明したが、本発明を適用する圧縮機は、ミドルプレートの上下に少なくとも２つの圧縮機構部が配置されていればよく、３つ以上のシリンダを有する圧縮機であっても適用可能である。
【００８６】
また、上記実施形態では、駆動軸（23）の第１偏心部（25）と第２偏心部（26）の角度のずれを１８０°としているが、この角度は圧縮機構の具体的な構成に応じて適宜変更してもよい。
【００８７】
また、上記油供給路（61）は、図１２に示すように、ピストン（40,50）の内周の角部に形成した面取り（40C,50C）を介して油溜まり空間（60）と連通するように構成してもよい。
【００８８】
また、上記油供給通路（61）は、図１３に示すように形成してもよい。
【００８９】
図１３に示す変形例では、上記油供給路（61）は、上記駆動軸（23）の軸心と平行な直線に沿って上記ミドルプレート（33）に形成された軸方向油供給路（61a）と、上記軸周り油溜まり空間（60a）と上記軸方向油供給路（61a）とに連通する径方向油供給路（61b）とを備えている。そして、上記軸方向油供給路（61a）は、一端が上記第１シリンダ室（C1）に連通して他端が第２シリンダ室（C2）から遮断される状態と、一端が第２シリンダ室（C2）に連通して他端が第１シリンダ室（C1）から遮断される状態とに、連通状態が変化するように構成されている。
【００９０】
このように構成しても、上記実施形態と同様の効果を得ることができる。
【００９１】
なお、以上の実施形態は、本質的に好ましい例示であって、本発明、その適用物、あるいはその用途の範囲を制限することを意図するものではない。
【産業上の利用可能性】
【００９２】
以上説明したように、本発明は、ミドルプレートとその上下に配置された２つの圧縮機構を有する回転式圧縮機において、吐出行程の終了時に圧縮機構の吐出ポート内に残留した高圧ガスが次の吸入行程で再膨張することによりシリンダ室で生じる高周波脈動を、シリンダ室に潤滑油を供給することによって抑制する技術について有用である。
【符号の説明】
【００９３】
10    回転式圧縮機
23    駆動軸
25    第１偏心部
26    第２偏心部
30    圧縮機構
30a   第１圧縮機構部
30b   第２圧縮機構部
32    第１シリンダ
33    ミドルプレート
34    第２シリンダ
40    第１ピストン
50    第２ピストン
60    油溜まり空間
61    油供給路
C1    第１シリンダ室
C2    第２シリンダ室
【図１】
2018109372.tif 000003
【図２】
2018109372.tif 000004
【図３】
2018109372.tif 000005
【図４】
2018109372.tif 000006
【図５】
2018109372.tif 000007
【図６】
2018109372.tif 000008
【図７】
2018109372.tif 000009
【図８】
2018109372.tif 000010
【図９】
2018109372.tif 000011
【図１０】
2018109372.tif 000012
【図１１】
2018109372.tif 000013
【図１２】
2018109372.tif 000014
【図１３】
2018109372.tif 000015